(57)【要約】【課題】録画装置において、ユーザによる予約録画の設定操作の手間を軽減させる。【解決手段】ハードディスクレコーダ（録画装置）は、メモリと、ＨＤＤと、制御用マイコンとを備える。メモリには、週間録画モードのオン／オフ設定、放送局、及び指定期間を含む週間録画設定情報と、放送時間帯に対する評価情報を含む放送時間帯評価情報とが記憶されている。制御用マイコンは週間録画モードがオンに設定されているか判断し（Ｓ２）、オンに設定されてる場合（Ｓ３でＹＥＳ）、予約録画番組情報を読み出す（Ｓ４）。そして、予約録画するＴＶ番組があるか判断し（Ｓ５）、無い場合（Ｓ６でＹＥＳ）、制御用マイコン１７は、指定された期間内に設定された放送局から放送されるＴＶ番組を録画する週間録画処理（Ｓ７）を行う。一方、予約録画の指定がされたＴＶ番組がある場合（Ｓ６でＮＯ）、制御用マイコン１７は、切替録画処理を行う（Ｓ９）。【選択図】図４
2010166362.tif 000002
【特許請求の範囲】
【請求項１】
放送局から放送されるテレビジョン番組（以下、ＴＶ番組という）を受信する受信手段と、
前記受信手段によって受信されたＴＶ番組を録画可能な録画媒体と、
予約録画を行うＴＶ番組の予約録画時間帯を含む情報（以下、予約録画番組情報という）を記憶するための記憶手段と、
装置各部を制御する制御手段とを備えた録画装置において、
前記記憶手段には、１週間単位で録画を行う週間録画モードに設定されているか否かの情報と、この週間録画モード時に録画を行う放送局とを含む週間録画設定情報と、放送時間帯に対する評価情報が格納された放送時間帯評価情報とがさらに記憶され、
前記制御手段は、
前記週間録画モードに設定されているときに、少なくとも平日における深夜以外の時間帯には、前記週間録画設定情報に含まれる放送局が放送するＴＶ番組のすべてを前記録画媒体への録画対象とし、
前記放送時間帯評価情報において一定基準以上の評価がなされている時間帯に放送されたＴＶ番組を高画質で前記録画媒体に録画し、
前記放送時間帯評価情報において一定基準未満の評価がなされている時間帯に放送されたＴＶ番組を低画質で前記録画媒体に録画することを特徴とする録画装置。
【請求項２】
前記放送時間帯評価情報に格納された評価情報は、ユーザによって視聴される回数が多い放送時間帯の評価が高く設定されていることを特徴とする請求項１に記載の録画装置。
【請求項３】
前記制御手段は、
前記予約録画番組情報に含まれるＴＶ番組の予約録画時間帯が、前記週間録画モードで録画を行う時間帯と重なるとき、
予約録画を行うＴＶ番組の放送中には、このＴＶ番組を前記録画媒体に録画し、前記予約録画を行うＴＶ番組が放映されていないときには、前記週間録画設定情報に含まれる放送局のＴＶ番組を前記録画媒体に録画することを特徴とする請求項１又は２に記載の録画装置。
【発明の詳細な説明】
【技術分野】
【０００１】
本発明は、録画装置に関し、特にテレビジョン番組を予約録画可能な録画装置に関する。
【背景技術】
【０００２】
従来から、ユーザが所望するテレビジョン番組（以下、ＴＶ番組という）を予約録画可能な録画装置が知られている。この種の録画装置は、ユーザが予約録画を行うＴＶ番組を予め設定しておく必要があるため、ユーザにとって設定操作の手間が掛かるという問題がある。
【０００３】
これに対して、特許文献１には、各放送局から放送されるＴＶ番組が予め書き込まれたメモリから、放送されるＴＶ番組の情報を取り出し、週単位の番組一覧表を作成してテレビ画面に表示し、ユーザがこの一覧表の中から録画を行うＴＶ番組を指定することにより自動的に予約録画が行われる録画装置が開示されている。しかしながら、この録画装置では、予約録画したいＴＶ番組をユーザが設定する必要があるので上記問題を解決できない。
【０００４】
また、特許文献２には、ジャンル、チャンネル、放送日、時間、及び出演者等のＥＰＧ情報の各属性について嗜好度に重みが付けられ、嗜好度の高いＴＶ番組を自動的に予約録画可能な録画装置が開示されている。しかしながら、この種の録画装置では、嗜好度の低いＴＶ番組が自動的に予約録画されないので、ユーザは、嗜好度の低いＴＶ番組を予約録画したい場合に予約録画したいＴＶ番組を設定する必要があるので上記問題を解決できない。
【０００５】
ところで、特許文献３には、ＴＶ番組の録画を行うハードディスクの残容量に応じて最適な録画画質を自動的に設定し、設定された録画画質でＴＶ番組の予約録画を行うことができる録画装置が開示されている。しかしながら、この種の録画装置では上記問題点を解決できない。
【先行技術文献】
【特許文献】
【０００６】
【特許文献１】特開平６−４６３４５号公報
【特許文献２】特開２００６−８０９７４号公報
【特許文献３】特開２００８−９８９６２号公報
【発明の概要】
【発明が解決しようとする課題】
【０００７】
本発明は、上述した問題点を解決するためになされたものであり、ユーザによる予約録画の設定操作の手間を軽減させる録画装置を提供することを目的とする。
【課題を解決するための手段】
【０００８】
上記目的を達成するために請求項１の発明は、放送局から放送されるテレビジョン番組（以下、ＴＶ番組という）を受信する受信手段と、前記受信手段によって受信されたＴＶ番組を録画可能な録画媒体と、予約録画を行うＴＶ番組の予約録画時間帯を含む情報（以下、予約録画番組情報という）を記憶するための記憶手段と、装置各部を制御する制御手段とを備えた録画装置において、前記記憶手段には、１週間単位で録画を行う週間録画モードに設定されているか否かの情報と、この週間録画モード時に録画を行う放送局とを含む週間録画設定情報と、放送時間帯に対する評価情報が格納された放送時間帯評価情報とがさらに記憶され、前記制御手段は、前記週間録画モードに設定されているときに、少なくとも平日における深夜以外の時間帯には、前記週間録画設定情報に含まれる放送局が放送するＴＶ番組のすべてを前記録画媒体への録画対象とし、前記放送時間帯評価情報において一定基準以上の評価がなされている時間帯に放送されたＴＶ番組を高画質で前記録画媒体に録画し、前記放送時間帯評価情報において一定基準未満の評価がなされている時間帯に放送されたＴＶ番組を低画質で前記録画媒体に録画するものである。
【０００９】
請求項２に記載の発明は、請求項１に記載の録画装置において、前記放送時間帯評価情報に格納された評価情報は、ユーザによって視聴される回数が多い放送時間帯の評価が高く設定されているものである。
【００１０】
請求項３に記載の発明は、請求項１又は２に記載の録画装置において、前記制御手段は、前記予約録画番組情報に含まれるＴＶ番組の予約録画時間帯が、前記週間録画モードで録画を行う時間帯と重なるとき、予約録画を行うＴＶ番組の放送中には、このＴＶ番組を前記録画媒体に録画し、前記予約録画を行うＴＶ番組が放映されていないときには、前記週間録画設定情報に含まれる放送局のＴＶ番組を前記録画媒体に録画するものである。
【発明の効果】
【００１１】
本発明によれば、週間録画モードに設定されているときに、少なくとも平日における深夜以外の時間帯には週間録画設定情報に含まれる放送局が放送するＴＶ番組のすべてを録画媒体への録画対象とするので、ユーザによって録画を行うＴＶ番組を設定する操作が不要となり、ユーザによる予約録画の設定操作の手間を軽減させることができる。また、予約録画の設定ミスによってユーザが視聴したいＴＶ番組が予約録画されないということを防ぐことができる。
【００１２】
また、放送時間帯評価情報において一定基準以上の評価がなされている時間帯に放送されたＴＶ番組を高画質で録画媒体に録画し、放送時間帯評価情報において一定基準未満の評価がなされている時間帯に放送されたＴＶ番組を低画質で録画媒体に録画するようにした。これにより、ユーザが予約録画するＴＶ番組の録画画質を設定することなしに、自動的に録画画質を変化させることができるので、ユーザによる録画画質の設定操作の手間を軽減させることができる。
【図面の簡単な説明】
【００１３】
【図１】本発明の一実施形態に係るハードディスクレコーダの構成を示すブロック図。
【図２】上記ハードディスクレコーダの週間録画設定情報の一例を示す図。
【図３】上記ハードディスクレコーダの放送時間帯評価情報の一例を示す図。
【図４】上記ハードディスクレコーダにおけるＴＶ番組の録画処理の手順を示すフローチャート。
【図５】上記録画処理における週間録画処理の手順を示すフローチャート。
【図６】上記録画処理における予約録画処理の手順を示すフローチャート。
【図７】上記録画処理における切替録画処理の手順を示すフローチャート。
【図８】上記切替録画処理におけるＴＶ番組の録画切替えを説明する図。
【発明を実施するための最良の形態】
【００１４】
本発明の一実施形態に係るハードディスクレコーダ（録画装置）について、図１乃至図３を参照して説明する。図１は、リモコン装置２により操作されるハードディスクレコーダ１の内部構成を示すブロック図である。図２は、週間録画設定情報１４ｃに記憶される設定情報を示し、図３は、放送時間帯評価情報１４ｄに記憶される評価情報を示す。ハードディスクレコーダ１は、放送局から放送されるテレビジョン番組（以下、ＴＶ番組という）を録画再生することができ、再生されたＴＶ番組の映像信号及び音声信号は、伝送ケーブル３を介してハードディスクレコーダ１と接続されたモニタ装置４に出力される。モニタ装置４は、例えば液晶テレビやプラズマテレビなどのディスプレイやスピーカを有する表示装置である。
【００１５】
ハードディスクレコーダ１は、放送局から放送されるデジタルＴＶ放送信号に基づくＴＶ番組を受信するデジタルチューナ（受信手段）１１と、リモコン装置２から送信されたリモコン信号を受信するリモコン信号受信部１２と、筐体外部に露出するように設けられたＨＤＭＩ端子等から構成される端子部１３とを備える。また、ハードディスクレコーダ１は、各種情報が記憶されるメモリ（記憶手段）１４と、ＴＶ番組を録画するハードディスク（請求項における録画媒体；以下、ＨＤＤという）１５と、ＨＤＤ１５に対してＴＶ番組の読み出しや書き込みを行うアクセス部１６と、装置各部の制御を行う制御用マイコン（制御手段）１７とをさらに備える。
【００１６】
メモリ１４には、制御用マイコン１７を動作させるためのプログラム１４ａと、予約録画番組情報１４ｂと、週間録画設定情報１４ｃと、放送時間帯評価情報１４ｄ等が記憶されている。予約録画番組情報１４ｂには、予約録画を行うＴＶ番組の放送時間帯や、放送局や、録画画質等の情報が記憶されている。これらの情報は、ユーザが予めリモコン装置２を操作することにより入力する。
【００１７】
週間録画設定情報１４ｃには、図２に示すように、後述する週間録画モードのオン／オフ設定３１と、録画を行う放送局３２と、録画を行う指定期間３３と、その他の情報３４とが記憶されている。ここでは、週間録画モードのオン／オフ設定３１がオン設定され、放送局３２にはＡ放送局が設定され、指定期間３３には、月曜日から金曜日までの平日が設定されている。指定期間３３は、月曜日から金曜日までの平日に限られず、例えば、任意の期間であってもよい。なお、指定期間３３のデフォルト設定は、月曜日から金曜日までの平日になっており、特にユーザが設定しない場合は、平日に放送されるＴＶ番組が週間録画モード時の録画対象となる。
【００１８】
放送時間帯評価情報１４ｄには、図３に示すように、ユーザによって視聴されたＴＶ番組の放送時間帯に応じた評価情報４１が記憶されている。ここでは、評価情報４１は、１〜１０段階の数値であり、数字が大きいほど高評価であるものとする。ユーザによって視聴される回数が多い時間帯の評価が高く設定されるため、評価情報４１を参照することによりユーザの視聴頻度が高い放送時間帯を求めることができる。
【００１９】
制御用マイコン１７は、再生処理部２１と、録画処理部２２とを備える。再生処理部２１は、時間帯評価部２１ａを有し、デジタルチューナ１１によって受信されたＴＶ番組や、アクセス部１６を介してＨＤＤ１５から読み出したＴＶ番組の再生を行う。時間帯評価部２１ａは、ＴＶ番組の再生時に、当該ＴＶ番組の放送時間帯についての評価情報を更新して放送時間帯評価情報１４ｄに書込む。
【００２０】
録画処理部２２は、録画画質設定部２２ａを有し、予約録画番組情報１４ｂや週間録画設定情報１４ｃの内容に基づいて、デジタルチューナ１１から受信したＴＶ番組の録画を行う。具体的には、予約録画番組情報１４ｂの内容に基づいて、録画処理部２２はＴＶ番組をＨＤＤ１５に録画する処理（以下、予約録画処理という）を行う。また、録画処理部２２は、週間録画モード時には、週間録画設定情報１４ｃの内容に基づいて、少なくとも平日における深夜以外の時間帯には、指定された放送局のＴＶ番組をすべて録画する処理（以下、週間録画処理という）を行う。
【００２１】
録画画質設定部２２ａは、ＨＤＤ１５にＴＶ番組を録画する際の録画画質を設定する。録画画質には、例えば、高画質と低画質の２種類があり、高画質の方が録画に必要な記憶容量を多く必要とする。
【００２２】
次に、ＴＶ番組の録画処理の手順について、図４に示すフローチャートを参照して説明する。まず、制御用マイコン１７は、メモリ１４から週間録画設定情報１４ｃを読み出し（Ｓ１）、週間録画モードがオンに設定されているか否かを判断する（Ｓ２）。
【００２３】
この判断の結果、週間録画モードのオン／オフ設定３１がオンされていた場合（Ｓ３でＹＥＳ）、制御用マイコン１７は、メモリ１４から予約録画番組情報１４ｂをさらに読み出し（Ｓ４）、予約録画の指定がされているＴＶ番組があるか否かを判断する（Ｓ５）。一方、上記Ｓ２の判断の結果、週間録画モードのオン／オフ設定３１がオフである場合（Ｓ３でＮＯ）、後述する予約録画処理（Ｓ８）を行う。
【００２４】
そして、上記Ｓ５の判断の結果、予約録画の設定がされたＴＶ番組が無い場合（Ｓ６でＹＥＳ）、制御用マイコン１７は、録画処理部２２を用いて、後述する週間録画処理（Ｓ７）を行う。一方、予約録画の指定がされたＴＶ番組がある場合（Ｓ６でＮＯ）、制御用マイコン１７は、録画処理部２２を用いて、後述する切替録画処理を行う（Ｓ９）。
【００２５】
次に、上記週間録画処理（週間録画モード時の処理）の詳細について、図５に示すフローチャートを参照して説明する。ここでは、週間録画設定情報１４ｃとして、上記図２に示した内容の情報が設定されているものとする。まず、制御用マイコン１７は、現在の曜日を判断し（Ｓ１１）、週間録画設定情報１４ｃに設定されている曜日である場合、つまり、平日（月曜〜金曜）である場合（Ｓ１２でＹＥＳ）、放送時間帯評価情報１４ｄに基づいて、現在の時間が評価の高い時間であるか否かを判断する（Ｓ１３）。評価の高低の判断は、一定基準以上の評価がなされている放送時間帯を高く判断し、一定基準未満の評価がなされている放送時間帯を低く判断する。具体的には、例えば、上記図３に示した評価情報が７以上の放送時間帯を評価が高いものと判断し、７未満の放送時間帯を評価が低いものと判断する。
【００２６】
上記Ｓ１３の判断の結果、評価の高い時間帯である場合（Ｓ１４でＹＥＳ）、制御用マイコン１７は、録画画質設定部２２ａを用いて録画する画質を高画質に設定した後（Ｓ１５）、録画処理部２２を用いて、週間録画設定情報１４ｃに設定された放送局（ここではＡ放送局）のＴＶ番組を録画する（Ｓ１６）。
【００２７】
一方、評価の高い時間帯ではない場合（Ｓ１４でＮＯ）、放送時間帯が深夜ではないとき（Ｓ１７でＹＥＳ）、制御用マイコン１７は、録画画質設定部２２ａを用いて、録画画質を低画質に設定（Ｓ１８）した後、ＴＶ番組を録画する（Ｓ１６）。一方、放送時間帯が深夜の時間帯であるとき（Ｓ１７でＮＯ）、ＴＶ番組の録画を行わない。ここで深夜とは、０：００〜５：００の時間帯を示すものとする。なお、放送時間が深夜の時間であっても、ＴＶ番組を録画対象とするものであってもよい。また、放送時間帯評価情報１４ｄにおいて、評価情報が最低（ここでは「１」）である放送時間帯に放送されるＴＶ番組を録画しないものであってもよい。また、デジタルチューナ１１を用いてＥＰＧ（Ｅｌｅｃｔｒｉｃ  Ｐｒｏｇｒａｍ  Ｇｕｉｄｅ）情報を受信し、ＥＰＧ情報に基づいて放送局からＴＶ番組の放送がない時間帯には録画をしないようにしてもよい。
【００２８】
次に、上記図４中の予約録画処理の詳細について、図６に示すフローチャートを参照して説明する。まず、制御用マイコン１７が、予約録画番組情報１４ｂの内容に基づいて、現在、予約録画の設定がされているＴＶ番組の放送時間帯であるか否かを判断する（Ｓ２１）。この結果、放送時間帯である場合（Ｓ２２でＹＥＳ）、予約録画番組情報１４ｂの内容に基づいて、予約設定がされたＴＶ番組を録画する（Ｓ２３）。一方、上記Ｓ２１の判断の結果、放送時間でない場合（Ｓ２２でＮＯ）、再度上記Ｓ２１以降の処理を繰り返す。
【００２９】
次に、上記図４中の切替録画処理の詳細について、図７に示すフローチャートを参照して説明する。まず、制御用マイコン１７が、予約録画番組情報１４ｂの内容に基づいて、現在、予約録画の設定がされているＴＶ番組の放送時間帯であるか否かを判断する（Ｓ３１）。この結果、放送時間帯である場合（Ｓ３２でＹＥＳ）、予約録画番組情報１４ｂの内容に基づいて、予約設定がされたＴＶ番組を録画する（Ｓ３３）。一方、上記Ｓ３１の判断の結果、予約設定がされたＴＶ番組の放送時間帯でない場合（Ｓ３２でＮＯ）、上記図５に示した週間録画処理を行う（Ｓ３５）。そして、週間録画処理が終了した場合（Ｓ３４でＹＥＳ）、切替録画処理を終了する。一方、週間録画処理が終了していない場合（Ｓ３４でＮＯ）、上記Ｓ３１以降の処理を繰り返す。
【００３０】
次に、上記切替録画処理において、予約録画番組情報１４ｂに含まれるＴＶ番組の予約録画時間帯が、週間録画設定情報１４ｃに含まれる指定期間と重なった場合の録画処理の例について、図８を参照して説明する。図８は、Ａ放送局において各放送時間帯に放送されるＴＶ番組（番組Ａ１〜番組Ａ４）と、Ｂ放送局において各時間帯に放送されるＴＶ番組（番組Ｂ１〜番組Ｂ３）とを示す。ここでは、週間録画設定情報１４ｃに上記図２で示した内容が設定され、予約録画番組情報１４ｂには番組Ｂ１を予約録画するように設定されているものとする。また、番組Ａ１〜Ａ４のすべては評価が一定以上であるため録画対象であるものとする。
【００３１】
制御用マイコン１７は、録画処理部２２を用いてＡ放送局から放送される番組Ａ１を録画した後、番組Ｂ１の放送が開始された時に番組Ａ１の録画を中止して番組Ｂ１を録画する。そして、番組Ｂ１の録画が終了した時に、Ａ放送局から放送されている番組Ａ３の録画を行う。
【００３２】
上述したように、本実施形態に係るハードディスクレコーダ１においては、週間録画モードに設定されているときには、週間録画設定情報１４ｃに含まれる指定期間３３に、指定された放送局３２が放送するＴＶ番組のすべてをＨＤＤ１５への録画対象とし得るので、ユーザによって録画を行うＴＶ番組を設定する操作が不要となり、ユーザによる予約録画の設定操作の手間を軽減させることができる。また、予約録画の設定ミスによってユーザが視聴したいＴＶ番組が予約録画されないということを防ぐことができる。
【００３３】
また、放送時間帯評価情報１４ｄにおいて一定基準以上の評価がなされている放送時間帯に放送されたＴＶ番組を高画質でＨＤＤ１５に録画し、放送時間帯評価情報１４ｄにおいて一定基準未満の評価がなされている放送時間帯に放送されたＴＶ番組を低画質でＨＤＤ１５に録画するようにした。これにより、ユーザが予約録画するＴＶ番組の録画画質を設定することなしに、自動的に録画画質を変化させることができるので、ユーザによる録画画質の設定操作の手間を軽減させることができる。
【００３４】
また、予約録画番組情報１４ｂに含まれるＴＶ番組の予約録画時間帯が、週間録画設定情報１４ｃに含まれる指定期間と重なった場合であっても、自動的に予約録画番組情報１４ｂに含まれるＴＶ番組を録画した後、週間録画設定情報１４ｃに設定された放送局から放送されるＴＶ番組を録画する。そのため、ユーザが録画対象のＴＶ番組を切替える操作を行う必要ないため、ユーザによる切替操作の手間を軽減させることができる。
【００３５】
なお、本発明は、上記実施形態の構成に限られず、発明の趣旨を変更しない範囲で種々の変形が可能である。例えば、録画画質には複数の種類があり、放送時間帯評価情報１４ｄに設定された評価情報の数値に応じて録画画質を多段階に切替えるものであってもよい。
【００３６】
また、複数のデジタルチューナを備え、週間録画設定情報に設定された指定期間内に複数の放送局から放送されるＴＶ番組を録画するものであってもよい。
【符号の説明】
【００３７】
１  ハードディスクレコーダ（録画装置）
１１  デジタルチューナ１１（受信手段）
１４  メモリ（記憶手段）
１５  ＨＤＤ（録画媒体）
１７  制御用マイコン（制御手段）
１４ｂ  予約録画番組情報
１４ｃ  週間録画設定情報
１４ｄ  放送時間帯評価情報
【図１】
2010166362.tif 000003
【図２】
2010166362.tif 000004
【図３】
2010166362.tif 000005
【図４】
2010166362.tif 000006
【図５】
2010166362.tif 000007
【図６】
2010166362.tif 000008
【図７】
2010166362.tif 000009
【図８】
2010166362.tif 000010